(57)【特許請求の範囲】
【請求項１】
光学系を介して形成された被写体像を撮像して画像データを生成する撮像手段と、
表示手段と、
画像データを一時的に保存する記憶手段と、
使用者による撮像動作を受け付けると、前記撮像手段で生成された画像データを前記記憶手段に保存した後、前記保存した画像データを所定時間前記表示手段に表示し、前記所定時間経過後、前記撮像手段で生成される画像データの表示に切り替える制御手段と、
被写体の動きを検出するぶれ検出手段と、を備え、
前記制御手段は、前記ぶれ検出手段が検出した前記被写体の動きに応じて、前記所定時間を調節する、
撮像装置。
【請求項２】
前記制御手段は、前記ぶれ検出手段が検出した前記被写体の動きに応じて、前記所定時間を短縮する、
請求項１に記載の撮像装置。
【請求項３】
前記制御手段は、前記ぶれ検出手段が検出した前記被写体の動きに応じて、前記所定時間を設けない、
請求項１に記載の撮像装置。
【発明の詳細な説明】
【技術分野】
【０００１】
本発明は撮像装置に関し、特に撮像した画像をレビュー表示する撮像装置に関する。
【背景技術】
【０００２】
被写体を撮像した後に、撮像した画像を自動的に液晶ディスプレイ上にレビュー表示する撮像装置が知られている。
【０００３】
例えば特許文献１は、レビュー表示の表示時間設定や、レビュー表示するか否かの切り替えが可能なスチルビデオカメラを開示している。
【先行技術文献】
【特許文献】
【０００４】
【特許文献１】特許第3465051号公報
【発明の概要】
【発明が解決しようとする課題】
【０００５】
しかしながら、上記スチルビデオカメラは、レビュー表示の表示時間や、レビュー表示するか否かの切り替えを都度設定する必要があり、使い勝手が悪かった。また、使用者あるいは被写体の状態に応じた表示制御ではないため、レビュー表示の不要な場面においてレビュー表示されてしまう不都合があった。
【０００６】
本発明は上記課題を鑑みてなされたものであり、使用者あるいは被写体の状態に応じた表示制御を実行する撮像装置を提供することを目的とする。
【課題を解決するための手段】
【０００７】
上記課題を解決するために本発明の撮像装置は、光学系を介して形成された被写体像を撮像して画像データを生成する撮像手段と、表示手段と、画像データを一時的に保存する記憶手段と、使用者による撮像動作を受け付けると、撮像手段で生成された画像データを記憶手段に保存した後、保存した画像データを所定時間前記表示手段に表示し、所定時間経過後、撮像手段で生成される画像データの表示に切り替える制御手段と、ぶれ検出手段とを備え、制御手段は、ぶれ検出手段が検出したぶれ量に応じて、所定時間を調節する。
【発明の効果】
【０００８】
これにより本発明は、使用者あるいは被写体の状態に応じた表示制御を実行する撮像装置を提供できる。
【図面の簡単な説明】
【０００９】
【図１】デジタルカメラ１００の構成ブロック図
【図２】パンニング検出によりレビュー表示を行わない制御のフローチャート
【図３】被写体が動いたと判定されたときにレビュー表示を行わないための制御のフローチャート
【図４】レビュー表示させている間にパンニング検出されたときレビュー表示を終了する制御のフローチャート
【図５】レビュー表示させている間に被写体が動いていると判定されたときにレビュー表示を終了する制御のフローチャート
【発明を実施するための形態】
【００１０】
〔実施の形態１〕
実施の形態１のデジタルカメラ１００は、パンニング判定時または被写体の動き検出結果に応じて、撮像した画像のレビュー表示を制御する。以下図を用いて、実施の形態１のデジタルカメラ１００の構成および動作を説明する。
【００１１】
〔１−１．構成〕
実施の形態１のデジタルカメラ１００の構成および、本発明との対応関係を説明する。
【００１２】
〔１−１−１．デジタルカメラの構成〕
まず、実施の形態１のデジタルカメラ１００の構成を説明する。図１はデジタルカメラ１００の構成ブロック図を示す。
【００１３】
デジタルカメラ１００は、被写体像を光学系１０１を通してCCDイメージセンサ１０２で撮像する。撮像により作成された画像データは前処理部（Analog Front End）１０３や画像処理部１０４において各種処理を施される。その後、画像データはフラッシュメモリ１０９やメモリカード１０８に保存される。フラッシュメモリ１０９やメモリカード１０８に保存された画像データは、使用者による操作部１１０の操作を受け付けて液晶ディスプレイ１０５上に再生表示される。
【００１４】
電源１１１は、デジタルカメラ１００を構成する各部に電力を供給する。電源１１１は、使用者の操作を受け付けて、デジタルカメラ１００の電力供給状態のON／OFFをスイッチできる。
【００１５】
メインコントローラ１０６は、デジタルカメラ１００全体の動作を統括制御する。メインコントローラ１０６は、電力が供給されると、撮影等の各種動作を実行する準備として、まずCPUの起動処理を実行する。メインコントローラ１０６は、CPUの起動処理が完了すると、デジタルカメラ１００の各部を制御するためのプログラムを実行する。これにより、メインコントローラ１０６は、デジタルカメラ1００を構成するシステム全体に必要な電力を供給する。また、メインコントローラ１０６は、光学系１０１やCCDイメージセンサ１０２や画像処理部１０４等を撮影動作可能な状態に準備する。
【００１６】
なお、メインコントローラ１０６は、ハードワイヤードな電子回路で構成してもよいし、プログラムを用いたマイクロコンピュータなどで構成してもよい。また、画像処理部１０４などと共に1つの半導体チップで構成してもよい。
【００１７】
CCDイメージセンサ１０２は光学系１０１を通して集光された光を電気信号へと変換する。CCDイメージセンサ１０１の受光面には多数のフォトダイオードが2次元的に配列されている。被写体からの光は光学系１０１を通過したのちにCCDイメージセンサ１０２上の受光面に結像される。そして、被写体からの光は受光面にて光電効果により電荷として蓄えられる。各受光面で蓄えられた電荷は垂直CCDおよび水平CCDによってアンプに転送され、画像データが生成される。なお本発明においては、CCDイメージセンサ１０２に代えて、例えばCMOSイメージセンサやNMOSイメージセンサなど、他の撮像素子を用いても良い。
【００１８】
前処理部１０３は、CCDイメージセンサ１０２で生成された画像データに対して、相関二重サンプリング、ゲイン調整等の処理を実行する。また、アナログ形式の画像データからデジタル形式の画像データへの変換を施す。その後、前処理部１０３はRGB信号の画像データを画像処理部１０４に出力する。
【００１９】
画像処理部１０４は、画像データに対して各種の処理を施す。各種処理としては、ガンマ補正、ホワイトバランス補正、YC変換処理、電子ズーム処理、圧縮処理、伸張処理等が挙げられるが、これらに限定されるものではない。また、これらの一部を欠く構成としてもよい。画像処理部１０４は、ハードワイヤードな電子回路で構成してもよいし、プログラムを用いたマイクロコンピュータなどで構成してもよい。またメインコントローラ１０６などとともに１つの半導体チップで構成してもよい。
【００２０】
液晶ディスプレイ１０５は、画像処理部１０４で処理された表示用の画像データに基づく画像を表示する。また、液晶ディスプレイ１０５は、画像の他、デジタルカメラ１００の設定条件等を表示可能である。なお本発明は、液晶方式、プラズマ方式、有機EL方式に限定されず、画像データを表示するディスプレイであれば本発明に適用可能である。
【００２１】
液晶ディスプレイ１０５に表示される画像としては、スルー画像、記録画像、レビュー画像がある。スルー画像は、ＣＣＤイメージセンサ１０２によって次々に生成される画像データを連続的に表示する画像である。スルー画像は、ファインダーの機能をもつ。使用者は、液晶ディスプレイ１０５に表示されるスルー画像を見ることで、被写体の構図等を決めて撮影を行うことができる。記録画像は、メモリカード１０８に記録された画像である。記録画像は、使用者の操作に応じてメモリカード１０８から読み出され、液晶ディスプレイ１０５に再生表示される。レビュー画像は、記録画像とするべく使用者の撮像操作により生成された画像の仕上がり等の確認のために液晶ディスプレイ１０５に一定時間表示される画像である。レビュー画像は、使用者による撮像動作を受け付けたときにメインコントローラ１０６がバッファ（不図示）に一時的に記録する。本実施の形態１のデジタルカメラ１００は、液晶ディスプレイ１０５にレビュー画像を表示後、撮像により生成した画像データをメモリカード１０８に記録するか否かを使用者に決定させてもよい。
【００２２】
液晶ディスプレイ１０５は、通電時においてスルー画像を表示している。液晶ディスプレイ１０５は、使用者の操作に応じて、スルー画像の他、設定条件などの表示または記録画像の表示に切替表示可能である。また、液晶ディスプレイ１０５は、撮影直後に、撮影された記録画像を自動的に一定時間表示させる設定にすることができる。これをレビュー自動表示機能と以下呼ぶ。また、レビュー表示させている時間の長さをレビュー表示時間と以下呼ぶことする。
【００２３】
デジタルカメラ１００が撮像可能なモードを撮影モードと以下呼ぶ。撮影モードにおいて、液晶ディスプレイ１０５は通常スルー画像を表示している。一方、メモリカード１０８に記録された画像を選択して再生可能なモードを再生モードと以下呼ぶ。
【００２４】
フラッシュメモリ１０９は、画像データ等を記録するための内部メモリとして機能する。メインコントローラ１０６は、画像処理部１０４で処理される画像データをフラッシュメモリ１０９に記録させたり、メモリカード１０８に記録させたりする。また、本発明は、フラッシュメモリに限らず、例えば、ハードディスクなどの内部に画像データを記憶する装置としてもよい。
【００２５】
メモリカード１０８は、内部にフラッシュメモリ等の記憶部を備えた外部メモリである。メモリカード１０８は、画像処理部１０４で処理される画像データなどのデータを記憶可能である。本実施例では、外部メモリの一例としてメモリカード１０８を示すが、本発明はこれには限らない。例えば、光ディスク等の記憶媒体を外部メモリとしてもよい。
【００２６】
操作部１１０は、デジタルカメラ１００の外装に備わっているボタン状やスライド状のもの、あるいは液晶ディスプレイ１０５に触れて操作するタッチパネル式のものを含む。デジタルカメラ１００は、使用者による操作部１１０の操作を受け付けて種々の動作を実行する。
【００２７】
ジャイロセンサ１０７は、使用者のデジタルカメラ１００の操作に伴う角度変化、すなわち角速度を検出することで、使用者の手振れの方向と大きさを検出する装置である。なお、本発明には、ジャイロセンサ１０７に限定されず、デジタルカメラ１００のぶれを検出するその他の角速度センサあるいは角加速度センサであっても適用可能である。なお、メインコントローラ１０６は、ジャイロセンサ１０７が検出した角速度が一定以上のときは、パンニングしていると判定する。
【００２８】
メインコントローラ１０６は、画像処理部１０４からフレーム毎に送られてくる画像データに対して、画像データの任意の範囲において、フレーム間で一定以上の差分があるときに、被写体が動いたと判定する。動きを検出したい範囲の大きさは可変で、複数箇所に配置してよい。
【００２９】
〔１−１−２．本発明との対応関係〕
ＣＣＤイメージセンサ１０２は本発明の撮像手段の一例である。液晶ディスプレイ１０５は本発明の表示手段の一例である。メインコントローラ１０６は本発明の制御手段の一例である。バッファは本発明の記憶手段の一例である。ジャイロセンサ１０７は本発明のぶれ検出手段の一例である。画像処理部１０４およびメインコントローラ１０６とからなる構成は、本発明のぶれ検出手段の一例である。デジタルカメラ１００は本発明の撮像装置の一例である。
【００３０】
〔１−２．動作〕
続いて、実施の形態１のデジタルカメラ１００の動作について説明する。実施の形態１のデジタルカメラ１００は、撮影中のパンニング検出結果や、被写体の動き検出結果に応じてレビュー表示制御を実行する。以下、図を用いて説明する。
【００３１】
〔  パンニング検出結果に応じたレビュー表示制御〕
本実施の形態１のデジタルカメラ１００は、パンニングを検出したときは、スルー画像の表示を優先させるために、レビュー画像表示を行わないという制御をする。図２に、この制御のフローチャートを示す。
【００３２】
本実施の形態１に係るデジタルカメラ１００において、撮影モード中、液晶ディスプレイ１０５はCCDイメージセンサ１０２が生成する画像データに基づいてスルー画像を表示する。メインコントローラ１０６は、CCDイメージセンサ１０２が新しいフレームの画像データを生成するたびに、ジャイロセンサ１０７からの角度変化情報に基づいてパンニング判定を行う（Ｓ２００）。メインコントローラ１０６は、パンニングが検出されたフレームまたは、次のフレーム内で、レリーズなどの撮影動作開始の指示が行われたときは、露光、現像などの一連の撮影動作（Ｓ２０１）を行った後、レビュー画像表示を行わずに、液晶ディスプレイ１０５はスルー画像を表示し続ける。
【００３３】
一方、メインコントローラ１０６は、撮影動作開始の指示がされたフレームまたはその前のフレームにおいて、パンニングが検出されなかったときは、先述した一連の撮影動作（Ｓ２０２）の後に、記録画像を確認するためのレビュー画像表示を、設定された時間だけ行う（Ｓ２０３）。メインコントローラ１０６は、設定された時間だけレビュー画像表示を継続した後、レビュー表示を解除して（Ｓ２０４）、液晶ディスプレイ１０５に再びスルー画像を表示する。
【００３４】
本実施の形態１は、パンニングが検出されたときにレビュー画像表示をしない制御だけではなく、レビュー時間を設定されている時間より短縮するという制御でもよい。
【００３５】
実施の形態１に係るデジタルカメラ１００は、レビュー画像表示方式の設定において、レビュー画像表示を行うか行わないかの選択の他に、レビュー時間を自動で決定するという選択を加えてもよい。このとき、実施の形態１に係るデジタルカメラ１００は、レビュー時間を自動で決定することが選択された場合に、上記のレビュー画像表示制御を行うようにしてもよい。
【００３６】
〔  被写体の動き検出結果に応じたレビュー表示制御〕
また、本実施の形態１のデジタルカメラ１００は、使用者が撮影しようとしている被写体が、動いていると判定したときに、スルー画像の表示を優先させるために、レビュー画像表示を行わない制御をする。
【００３７】
図３に、被写体が動いたと判定されたときに、レビュー表示を行わないための制御のフローチャートを示す。
【００３８】
本実施の形態１に係るデジタルカメラ１００において、撮影モード中、液晶ディスプレイ１０５はCCDイメージセンサ１０２が生成する画像データに基づいてスルー画像を表示する。メインコントローラ１０６は、CCDイメージセンサ１０２が新しいフレームの画像データを生成するたびに、被写体が動いているか否かの判定を行う（Ｓ３００）。メインコントローラ１０６は、被写体が動いていると判定されたフレームまたは、次のフレーム内で、レリーズなどの撮影動作開始の指示が行われたときは、露光、現像などの一連の撮影動作（Ｓ３０１）を行った後、レビュー画像表示を行わずに、液晶ディスプレイ１０５にスルー画像を表示し続ける。
【００３９】
一方、メインコントローラ１０６は、被写体が動いていると判定されなかったとき、先述した一連の撮影動作（Ｓ３０２）の後に、記録画像を確認するためのレビュー画像表示を、設定された時間だけ行う（Ｓ３０３）。メインコントローラ１０６は、レビュー表示が設定された時間表示したら、レビュー画像表示を解除し（Ｓ３０４）、液晶ディスプレイ１０５に再びスルー画像を表示する。
【００４０】
実施の形態１は、被写体が動いていると判定されたときにレビュー表示をしない制御だけではなく、レビュー時間を設定した時間より短縮するという制御でもよい。
【００４１】
実施の形態１に係るデジタルカメラ１００は、レビュー画像表示方式の設定において、レビュー画像表示を行うか行わないかの選択の他に、レビュー時間を自動で決定するという選択を加えてもよい。このとき、実施の形態１に係るデジタルカメラ１００は、レビュー時間を自動で決定することが選択された場合に、上記のレビュー画像表示制御を行うようにしてもよい。
〔実施の形態２〕
実施の形態２のデジタルカメラ１００は、レビュー表示中のパンニング検出結果や、被写体の動き検出結果に応じてレビュー表示制御を実行する。実施の形態２のデジタルカメラ１００の構成は図１を用いて説明した実施の形態１のデジタルカメラ１００と同様である。そのため、各構成の説明を省略する。以下、図を用いて実施の形態２のデジタルカメラ１００の動作について説明する。
【００４２】
〔  レビュー表示中のパンニング検出結果に応じた表示制御〕
デジタルカメラ１００は、撮影動作を行った後、レビュー画像表示させている間に、パンニングが検出されたときは、設定されたレビュー時間に関わらず、すぐにレビュー表示を終了する制御を行う。
【００４３】
図４に、レビュー表示させている間に、パンニング検出されたとき、レビュー表示を終了する制御のフローチャートを示す。
【００４４】
本実施の形態２に係るデジタルカメラ１００において、撮影モード中、液晶ディスプレイ１０５はCCDイメージセンサ１０２が生成する画像データに基づいてスルー画像を表示する。コントローラ１０６は、撮影モード中、使用者のレリーズ操作を受け付けて撮影動作を開始し、露光、現像などの一連の撮影動作を実行する（Ｓ４００）。その後、液晶ディスプレイ１０５はレビュー画像を表示する（Ｓ４０１）。レビュー表示中において、メインコントローラ１０６は、レビュー画像表示が開始されてからの時間を監視する（Ｓ４０２）。メインコントローラ１０６は、設定された時間が経過するまでの間に、一定時間毎に、ジャイロセンサ１０７からの角度変化の情報をもとに、パンニング判定を行う（Ｓ４０３）。メインコントローラ１０６は、パンニングが検出されたとき、レビュー表示時間として設定された時間が経過していなくても、レビュー表示を解除し（Ｓ４０４）、液晶ディスプレイ１０５に再びスルー画像を表示する。
【００４５】
一方、メインコントローラ１０６は、レビュー画像表示時間として設定された時間が経過するまでの間に、パンニングが検出されなかったとき、レビュー画像表示時間として設定された時間が経過後にレビュー表示を解除する（Ｓ４０４）。その後、液晶ディスプレイ１０５は、再びスルー画像を表示する。
【００４６】
〔  レビュー表示中の被写体の動き検出結果に応じた表示制御〕
デジタルカメラ１００は、撮影動作を行った後、レビュー画像表示させている間に、被写体が動いていると検出されたとき、設定されたレビュー時間に関わらず、すぐにレビュー表示を終了する制御を行う。
【００４７】
図５に、レビュー画像表示させている間に、被写体が動いていると判定されたときに、レビュー画像表示を終了する制御のフローチャートを示す。
【００４８】
本実施の形態２に係るデジタルカメラ１００において、撮影モード中、液晶ディスプレイ１０５はCCDイメージセンサ１０２が生成する画像データに基づいてスルー画像を表示する。コントローラ１０６は、撮影モード中に、使用者のレリーズ操作を受け付けて撮影動作を開始し、露光、現像などの一連の撮影動作を実行する（Ｓ５００）。その後、液晶ディスプレイ１０５は、レビュー画像を表示する（Ｓ５０１）。レビュー表示中において、メインコントローラ１０６は、レビュー画像表示が開始されてからの時間を監視する（Ｓ５０２）。
【００４９】
ＣＣＤイメージセンサ１０２は、液晶ディスプレイ１０５がレビュー画像を表示している間も、新しいフレームの画像データを生成している。メインコントローラ１０６は、レビュー画像表示が解除されるまでの間、毎フレーム生成される画像データに基づいて被写体の動きを監視している（Ｓ５０３）。被写体が動いたと判定されたときは、レビュー画像表示時間として予め設定されている時間が経過していなくても、レビュー表示を解除し（５０４）、液晶ディスプレイ１０５は、再びスルー画像を表示する。
【００５０】
一方、メインコントローラ１０６は、レビュー画像表示時間として設定された時間が経過するまでの間に、被写体が動いたと判定されなかったときは、レビュー表示時間として設定された時間の経過後にレビュー表示を解除する（Ｓ５０４）。その後、液晶ディスプレイ１０５は再びスルー画像の表示に切り替える。
〔まとめ〕
上記のように、デジタルカメラ１００は、光学系を介して形成された被写体像を撮像して画像データを生成するCCDイメージセンサ１０２と、液晶ディスプレイ１０５と、画像データを一時的に保存するバッファと、使用者による撮像動作を受け付けると、CCDイメージセンサ１０２で生成された画像データをバッファに保存した後、保存した画像データを所定時間液晶ディスプレイ１０５に表示し、所定時間経過後、CCDイメージセンサ１０２で生成される画像データの表示に切り替えるメインコントローラ１０６と、ジャイロセンサ１０７とを備え、メインコントローラ１０６は、ジャイロセンサ１０７が検出したぶれ量に応じて、所定時間を調節する。これにより、デジタルカメラ１００は、CCDイメージセンサ１０２が画像データを生成した後に、液晶ディスプレイ１０５に画像データを表示する所定時間を、ジャイロセンサ１０７が検出したぶれに応じて調節することができる。すわなち、デジタルカメラ１００は自機のぶれに応じてレビュー表示時間を調節することができる。
【００５１】
また、デジタルカメラ１００は、画像データと、画像データが生成された前あるいは後に生成された画像データとを比較することにより検出した被写体の動きのぶれ量に応じて、所定時間を調節してもよい。これにより、デジタルカメラ１００は、被写体の動きに応じてレビュー表示時間を調節することができる。
【産業上の利用可能性】
【００５２】
本発明は、デジタルカメラへの適用に限定されない。すなわち、ムービーカメラ、カメラ付携帯電話等の撮像装置に本発明は適用可能である。
【符号の説明】
【００５３】
１００    デジタルカメラ
１０１    光学系
１０２    ＣＣＤイメージセンサ
１０４    画像処理部
１０５    液晶モニタ
１０６    メインコントローラ
１０７    ジャイロセンサ
１０８    メモリカード
１０９    フラッシュメモリ
１１０    操作部
１１１    電源
【図１】
0005423204.tif 000002
【図２】
0005423204.tif 000003
【図３】
0005423204.tif 000004
【図４】
0005423204.tif 000005
【図５】
0005423204.tif 000006